(57)【要約】【課題】フェイシャルケアの施術支援装置であって、施術者の技術に対する依存を低減することのできるものを提供する。【解決手段】施術支援装置２００は、フェイシャルケアに適したものであり、第１の端子２０１及び第２の端子２０２を有し、第１の端子２０１には、施術者が踏むための第１の導電部材２１１が接続され、第２の端子２０２には、被施術者に接触させるための第２の導電部材２１２が接続される。第１の導電部材２１１は、一例として、一枚ないし単一の導電板とし、第２の導電部材２１２は、一例として、一組のシートとすることができる。施術者は、順序はこの順序に限られないが、ベッドなどの施術台２２０の施術を行う部位の周囲に第１の導電部材２１１を置き、これを両足又は片足で踏み、施術台２２０の上に第２の導電部材２１２を配置して被施術者と接触させ、施術支援装置２００の強度調節２０３Ａにより調節を行う。【選択図】図２
2018102756.tif 000002
【特許請求の範囲】
【請求項１】
第１の端子及び第２の端子を有する施術支援装置であって、
前記第１の端子には、施術者が踏むための第１の導電部材が接続され、前記第２の端子には、被施術者に接触させるための第２の導電部材が接続され、
前記第１の導電部材は、単一の導電板であり、
前記第２の導電部材は、一組のシートであることを特徴とする施術支援装置。
【請求項２】
前記施術者が前記被施術者に触れることによって前記被施術者に電流が与えられるものであることを特徴とする請求項１に記載の施術支援装置。
【請求項３】
前記導電板は、前記施術者の足と接する導電面と、前記導電面と反対側の面を有することを特徴とする請求項１又は２に記載の施術支援装置。
【請求項４】
前記施術者の足と接する導電面はステンレスを用いて構成され、
前記反対側の面はゴムを用いて構成されていることを特徴とする請求項３に記載の施術支援装置。
【請求項５】
前記一組のシートは、それぞれフレキシブルシートであることを特徴とする請求項１から４のいずれかに記載の施術支援装置。
【請求項６】
前記一組のシートは、二枚のシートであることを特徴とする請求項１から５のいずれかに記載の施術支援装置。
【請求項７】
前記二枚のシートは、被施術者の肩又はその近傍への配置に適合されていることを特徴とする請求項６に記載の施術支援装置。
【請求項８】
持ち運び可能であることを特徴とする請求項１から７のいずれかに記載の施術支援装置。
【請求項９】
前記被施術者に与えられる電流を切り替えるためのモード切替が可能であることを特徴とする請求項１から８のいずれかに記載の施術支援装置。
【請求項１０】
第１の端子及び第２の端子を有する施術支援装置の使用方法であって、
施術台の施術を行う部位の周囲に前記第１の端子に接続された第１の導電部材を施術者が踏めるように置き、
前記施術台の上に前記第２の端子に接続された第２の導電部材を配置して被施術者と接触させ、
前記第１の導電部材は、単一の導電板であり、
前記第２の導電部材は、一組のシートであることを特徴とする使用方法。
【発明の詳細な説明】
【技術分野】
【０００１】
本発明は、美容の施術支援装置に関し、より詳細には、施術者の身体を通じて被施術者に電流を与える美容の施術支援装置に関する。
【背景技術】
【０００２】
美容に対するさまざまなサービスがある中で、鍼等によって、筋肉を弛緩・収縮させて血液、リンパの流れを促進するものがあるが、これらは、施術者の技術に依存している部分が大きい。
【０００３】
特許文献１には、図１に示す理学療法用エネルギー発生装置１０が記載されており、当該装置は、容易な操作で、低電位、低周波数の交流電気信号によって患者の身体のつぼを刺激するとされている。
【０００４】
理学療法用エネルギー発生装置１０は、第１出力端１１１、第２出力端１１２及び調整つまみ１１３を有する制御手段１１と、第１出力端１１１に電気的に接続され、ベッド上の患者に接触させるための第１導電手段１２と、第２出力端１１２に接続され、ベッドの周囲に配置して理学療法士が足で踏むための複数の第２導電手段１３とを備える。第１導電手段１２は、銅とクロムを含有する金属繊維を編んでなる導電性のシートであり、第２伝動手段１３は、絶縁基部１３１上に銅か、もしくは導電性ゴムによって形成する導電面１３２を有する。調整つまみ１１３は、施す理学療法の状況に応じて出力するエネルギーの強度を調整するために用いられる。
【先行技術文献】
【特許文献】
【０００５】
【特許文献１】実用新案登録第３１８６０８４号公報
【発明の概要】
【発明が解決しようとする課題】
【０００６】
このような装置は存在するものの、施術者の技術に対する依存を減らして、効果の高いサービスを提供するためには、美容ないしビューティケアの施術支援装置における改善が望まれている。
【０００７】
本発明は、首から上のフェイシャルケアに適した改善が特に求められていることに鑑みてなされたものであり、その目的は、フェイシャルケアの施術支援装置であって、施術者の技術に対する依存を低減することのできるものを提供することにある。
【課題を解決するための手段】
【０００８】
このような目的を達成するために本発明の第１の態様は、第１の端子及び第２の端子を有する施術支援装置であって、前記第１の端子には、施術者が踏むための第１の導電部材が接続され、前記第２の端子には、被施術者に接触させるための第２の導電部材が接続され、前記第１の導電部材は、単一の導電板であり、前記第２の導電部材は、一組のシートであることを特徴とする。
【０００９】
また、本発明の第２の態様は、第１の態様において、前記施術者が前記被施術者に触れることによって前記被施術者に電流が与えられるものであることを特徴とする。
【００１０】
また、本発明の第３の態様は、第１又は第２の態様において、前記導電板は、前記施術者の足と接する導電面と、前記導電面と反対側の面を有することを特徴とする。
【００１１】
また、本発明の第４の態様は、第３の態様において、前記施術者の足と接する導電面はステンレスを用いて構成され、前記反対側の面はゴムを用いて構成されていることを特徴とする。
【００１２】
また、本発明の第５の態様は、第１から第４のいずれかの態様において、前記一組のシートは、それぞれフレキシブルシートであることを特徴とする。
【００１３】
また、本発明の第６の態様は、第１から第５のいずれかの態様において、前記一組のシートは、二枚のシートであることを特徴とする。
【００１４】
また、本発明の第７の態様は、第６の態様において、前記二枚のシートは、被施術者の肩又はその近傍への配置に適合されていることを特徴とする。
【００１５】
また、本発明の第８の態様は、第１から第７のいずれかの態様において、持ち運び可能であることを特徴とする。
【００１６】
また、本発明の第９の態様は、第１から第８のいずれかの態様において、前記被施術者に与えられる電流を切り替えるためのモード切替が可能であることを特徴とする。
【００１７】
また、本発明の第１０の態様は、第１の端子及び第２の端子を有する施術支援装置の使用方法であって、施術台の施術を行う部位の周囲に前記第１の端子に接続された第１の導電部材を施術者が踏めるように置き、前記施術台の上に前記第２の端子に接続された第２の導電部材を配置して被施術者と接触させ、前記第１の導電部材は、単一の導電板であり、前記第２の導電部材は、一組のシートであることを特徴とする。
【発明の効果】
【００１８】
本発明の一態様によれば、第１の端子及び第２の端子を有する施術支援装置において、第１の端子には施術者が踏むための第１の導電部材が接続され、第２の端子には被施術者に接触させるための第２の導電部材が接続され、当該第１の導電部材を単一の導電板とし、当該第２の導電部材を一組のシートとすることによって、首から上のフェイシャルケアに適した美容機器を提供することができる。
【図面の簡単な説明】
【００１９】
【図１】従来の理学療法用エネルギー発生装置を示す図である。
【図２】本発明の一実施形態における施術支援装置を示す図である。
【発明を実施するための形態】
【００２０】
以下、図面を参照して本発明の実施形態を詳細に説明する。
【００２１】
（本発明の概要）
図２に、本発明の一態様における施術支援装置を示す。施術支援装置２００は、フェイシャルケアに適したものであり、第１の端子２０１及び第２の端子２０２を有し、第１の端子２０１には、施術者が踏むための第１の導電部材２１１が接続され、第２の端子２０２には、被施術者に接触させるための第２の導電部材２１２が接続される。
【００２２】
第１の導電部材２１１は、一例として、一枚ないし単一の導電板とし、施術者の足と接する導電面と、当該導電面と反対側の面を有するものとすることができる。導電面は、ステンレスにより構成してもよい。反対側の面は、床等との接触に伴う音の発生を抑制するために、ゴムにより構成してもよい。導電板の寸法は、たとえば、概ね矩形の部分が１８．０ｃｍ×１３．８ｃｍであり、縦が１５．０〜１８．０ｃｍ、横が１０．０ｃｍ〜１５．０ｃｍのようにしてもよい。寸法として施術者又はその補助者が持ち運び可能な大きさとするのが好ましい。
【００２３】
第２の導電部材２１２は、一例として、一組のシートとし、被施術者の背中等の身体の一部と接する導電面を有するものとすることができる。図２では、二枚一組としているが、三枚以上とすることも考えられる。第２の端子２０２からそれぞれのシートに電流を流す二股分岐の電線を用いるが、一方のシートにのみ電線を接続したり、一方のシートに両方の電線を接続したりすることで、電流を調整してもよい。また、図２では、一組のシートを被施術者の頭から足に向かう方向に沿って配置しているが、これと直交する方向にたとえば両肩又はその近傍に配置することもできる。各シートは、被施術者の背中等の身体に沿うようにフレキシブルシートとすることができる。また、その配置位置に応じて適した寸法とすることができる。
【００２４】
施術者は、順序はこの順序に限られないが、ベッドなどの施術台２００の施術を行う部位の周囲に第１の導電部材２１１を置き、これを両足又は片足で踏み、施術台２２０の上に第２の導電部材２１２を配置して被施術者と接触させ、施術支援装置２００の強度調節２０３Ａにより調節を行う。これにより、施術者の手の指、掌等を被施術者のフェイシャルゾーンに接触させることで、一度、施術者の身体を通した電流を被施術者に与えることができる。強度調節２０３Ａにより調節された強度を表示する強度表示２０３Ｂを設けてもよい。また、強度はあらかじめ調節されていることもある。
【００２５】
被施術者に伝わる電流は、その電気刺激によって被施術者の筋肉を弛緩・収縮させることができる。電流の強度及び波形を適切に定めることで、高度な技術をもたない施術者であっても、効果的にフェイシャルゾーンの筋肉の緩みを与えることが可能となる。また、施術者の手と被施術者の身体との接触部位の位置及び大きさにより、被施術者に与えられる電流を柔軟に調節することができる。フェイシャルゾーンの筋肉の緩みを与えた上で施術をさらに行うことによって、施術者の技術に対する依存を大きく抑えることができる。
【００２６】
なお、施術支援装置２００には、強度を固定するためのロックボタン２０４や、電流発生時間を設定するためのタイマー２０５をさらに備えてもよい。
【００２７】
また、モード切替ボタン２０６を押すことで、電流の種類を切り替えることができ、たとえば通常モードに代えて、又はこれに加えて、導入モードないしポレーションモードをオンにすることができる。導入モードでは、通常モードとは異なる電流が被施術者に与えられ、たとえば美容液等の成分の導入を促すことができる。
【符号の説明】
【００２８】
２００  施術支援装置
２０１  第１の端子
２０２  第２の端子
２１１  第１の導電部材
２１２  第２の導電部材
２２０  施術台
【図１】
2018102756.tif 000003
【図２】
2018102756.tif 000004
【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
第１の端子及び第２の端子を有する施術支援装置であって、
前記第１の端子には、施術者が踏むための第１の導電部材が接続され、前記第２の端子には、被施術者に接触させるための第２の導電部材が接続され、
前記第１の導電部材は、単一の導電板であり、
前記第２の導電部材は、一組のシートであり、
前記被施術者に与えられる電流を切り替えるためのモード切替が可能であることを特徴とする施術支援装置。
【請求項２】
前記施術者が前記被施術者に触れることによって前記被施術者に電流が与えられるものであることを特徴とする請求項１に記載の施術支援装置。
【請求項３】
前記導電板は、前記施術者の足と接する導電面と、前記導電面と反対側の面を有することを特徴とする請求項１又は２に記載の施術支援装置。
【請求項４】
前記施術者の足と接する導電面はステンレスを用いて構成され、
前記反対側の面はゴムを用いて構成されていることを特徴とする請求項３に記載の施術支援装置。
【請求項５】
前記一組のシートは、それぞれフレキシブルシートであることを特徴とする請求項１から４のいずれかに記載の施術支援装置。
【請求項６】
前記一組のシートは、二枚のシートであることを特徴とする請求項１から５のいずれかに記載の施術支援装置。
【請求項７】
前記二枚のシートは、被施術者の肩又はその近傍への配置に適合されていることを特徴とする請求項６に記載の施術支援装置。
【請求項８】
持ち運び可能であることを特徴とする請求項１から７のいずれかに記載の施術支援装置。
【請求項９】
第１の端子及び第２の端子を有する施術支援装置の使用方法であって、
施術台の施術を行う部位の周囲に前記第１の端子に接続された第１の導電部材を施術者が踏めるように置き、
前記施術台の上に前記第２の端子に接続された第２の導電部材を配置して被施術者と接触させ、
前記第１の導電部材は、単一の導電板であり、
前記第２の導電部材は、一組のシートであり、
前記被施術者に与えられる電流を切り替えるためのモード切替が可能であることを特徴とする使用方法。